(57)【要約】【課題】  煩雑なユーザ操作を要することなく、放送受信装置のチャンネル番号を変更した際にＡＶアンプのボリューム値を適切な値に変更すること。【解決手段】  ユーザ操作によって出力ボリューム値が変更されると、ボリューム値登録手段は、出力ボリューム値を現在のチャンネル番号のボリューム値として登録する。放送受信装置が受信する放送のチャンネル番号が変更された場合、チャンネル番号を含むチャンネル変更通知が音声処理装置に送信される。音声処理装置は、チャンネル変更通知に含まれるチャンネル番号に対応するボリューム値をボリューム値登録手段から読み出して、出力ボリューム値として設定する。従って、放送受信装置が受信するチャンネル番号が変更された場合、音声処理装置の出力ボリューム値を自動的に適切な値に変更することができる。【選択図】図４
2010141846.tif 000002
【特許請求の範囲】
【請求項１】
放送受信装置と、前記放送受信装置に接続可能な音声処理装置とを備え、
前記放送受信装置が、
複数のチャンネル番号の中からユーザ操作によって１つのチャンネル番号を選択する選択手段と、
選択されたチャンネル番号の音声データを含む放送データを受信する受信手段と、
前記受信手段が受信した音声データを前記音声処理装置に送信する送信手段と、
前記選択手段によって選択されたチャンネル番号を含むチャンネル変更通知を前記音声処理装置に送信する通知送信手段とを有し、
前記音声処理装置が、
音声データを受信する受信手段と、
受信した音声データを設定されている出力ボリューム値に基づいて調整するボリューム調整手段と、
前記チャンネル変更通知を受信する通知受信手段と、
チャンネル番号に対応付けてボリューム値を登録するボリューム値登録手段と、
前記チャンネル変更通知に含まれるチャンネル番号に対応するボリューム値を前記ボリューム値登録手段から読み出して、前記出力ボリューム値に設定する第１ボリューム値設定手段と、
ユーザ操作によって前記出力ボリューム値を設定する第２ボリューム値設定手段とを有し、
前記ボリューム値登録手段が、前記チャンネル変更通知に含まれるチャンネル番号について、前記出力ボリューム値と、前記ボリューム値登録手段に登録されているボリューム値とが異なる場合に、前記出力ボリューム値を前記ボリューム値登録手段に登録されているボリューム値として登録する、音声処理システム。
【請求項２】
請求項１に記載の音声処理システムに適用される音声処理装置であって、
音声データを受信する受信手段と、
受信した音声データを出力ボリューム値に基づいて調整するボリューム調整手段と、
前記チャンネル変更通知を受信する通知受信手段と、
チャンネル番号に対応付けてボリューム値を登録するボリューム値登録手段と、
前記チャンネル変更通知に含まれるチャンネル番号に対応するボリューム値を前記ボリューム値登録手段から読み出して、前記出力ボリューム値に設定する第１ボリューム値設定手段と、
ユーザ操作によって前記出力ボリューム値を設定する第２ボリューム値設定手段とを備え、
前記ボリューム値登録手段が、前記チャンネル変更通知に含まれるチャンネル番号について、前記出力ボリューム値と、前記ボリューム値登録手段に登録されているボリューム値とが異なる場合に、前記出力ボリューム値を前記ボリューム値登録手段に登録されているボリューム値として登録する、音声処理装置。
【請求項３】
前記ボリューム値登録手段が、前記チャンネル変更通知に含まれるチャンネル番号について、前記出力ボリューム値と、前記ボリューム値登録手段に登録されているボリューム値とが異なる状態が所定時間以上継続した場合に、前記出力ボリューム値を前記ボリューム値登録手段に登録されているボリューム値として登録する、請求項２に記載の音声処理装置。
【請求項４】
請求項２または３に記載の音声処理装置の各手段をコンピュータに実行させる、音声処理装置の動作プログラム。
【発明の詳細な説明】
【技術分野】
【０００１】
本発明は、放送受信装置が受信した音声データを音声処理装置に送信し、音声処理装置においてボリューム値を調整して出力する音声処理システムに関する。
【背景技術】
【０００２】
放送受信装置とＡＶアンプとをＨＤＭＩケーブルを介して接続し、放送受信装置が受信した放送データの音声データを、ＨＤＭＩケーブルを介してＡＶアンプに送信し、ＡＶアンプにおいて、音声データを増幅し、外部に接続されたスピーカーから音声を再生するシステムが利用されている。放送受信装置は複数のチャンネル番号の放送データを受信可能であり、選択されるチャンネル番号に応じて受信する音声データのレベル（振幅値）が異なっている。従って、放送受信装置が受信するチャンネル番号を変更する毎に、ユーザ操作によって、ＡＶアンプのボリューム値を適切なボリューム値に調整する必要があり、その操作が煩雑である。
【０００３】
【特許文献１】特開２００１−５４０３７号公報
【特許文献２】特開２００７−２１４６７８号公報
【発明の開示】
【発明が解決しようとする課題】
【０００４】
本発明は上記従来の課題を解決するためになされたものであり、その目的は、煩雑なユーザ操作を要することなく、放送受信装置のチャンネル番号を変更した際にＡＶアンプのボリューム値を適切な値に変更することができる音声処理システムを提供することである。
【課題を解決するための手段】
【０００５】
本発明の好ましい実施形態による音声処理システムは、放送受信装置と、前記放送受信装置に接続可能な音声処理装置とを備え、前記放送受信装置が、複数のチャンネル番号の中からユーザ操作によって１つのチャンネル番号を選択する選択手段と、選択されたチャンネル番号の音声データを含む放送データを受信する受信手段と、前記受信手段が受信した音声データを前記音声処理装置に送信する送信手段と、前記選択手段によって選択されたチャンネル番号を含むチャンネル変更通知を前記音声処理装置に送信する通知送信手段とを有し、前記音声処理装置が、音声データを受信する受信手段と、受信した音声データを設定されている出力ボリューム値に基づいて調整するボリューム調整手段と、前記チャンネル変更通知を受信する通知受信手段と、チャンネル番号に対応付けてボリューム値を登録するボリューム値登録手段と、前記チャンネル変更通知に含まれるチャンネル番号に対応するボリューム値を前記ボリューム値登録手段から読み出して、前記出力ボリューム値に設定する第１ボリューム値設定手段と、ユーザ操作によって出力ボリューム値を設定する第２ボリューム値設定手段とを有し、前記ボリューム値登録手段が、前記チャンネル変更通知に含まれるチャンネル番号について、前記出力ボリューム値と、前記ボリューム値登録手段に登録されているボリューム値とが異なる場合に、前記出力ボリューム値を前記ボリューム値登録手段に登録されているボリューム値として登録する。
【０００６】
ユーザ操作によって出力ボリューム値が変更されると、ボリューム値登録手段は、出力ボリューム値を現在のチャンネル番号のボリューム値として登録する。放送受信装置が受信する放送のチャンネル番号が変更された場合、チャンネル番号を含むチャンネル変更通知が音声処理装置に送信される。音声処理装置は、チャンネル変更通知に含まれるチャンネル番号に対応するボリューム値をボリューム値登録手段から読み出して、出力ボリューム値として設定する。従って、放送受信装置が受信するチャンネル番号が変更された場合、音声処理装置の出力ボリューム値を自動的に適切な値に変更することができる。
【０００７】
好ましい実施形態においては、前記ボリューム値登録手段が、前記チャンネル変更通知に含まれるチャンネル番号について、前記出力ボリューム値と、前記ボリューム値登録手段に登録されているボリューム値とが異なる状態が所定時間以上継続した場合に、前記出力ボリューム値を前記ボリューム値登録手段に登録されているボリューム値として登録する。
【０００８】
この場合、ユーザ操作によって頻繁にチャンネル番号又は出力ボリューム値が変更された場合であっても、ボリューム値登録手段のボリューム値が頻繁に変更されるという問題を防止することができる。
【発明の効果】
【０００９】
煩雑なユーザ操作を要することなく、放送受信装置のチャンネル番号を変更した際にＡＶアンプのボリューム値を適切な値に変更することができる。
【発明を実施するための最良の形態】
【００１０】
以下、本発明の好ましい実施形態によるＡＶアンプ（音声処理装置）２０、及び、放送受信装置（音声送信装置）３０を備える音声処理システムついて、図面を参照して具体的に説明するが、本発明はこれらの実施形態には限定されない。
【００１１】
放送受信装置３０は、複数チャンネルの放送データの中から選択されたチャンネルの放送データ（音声データを含む）を受信し、音声データをＨＤＭＩデータに変換して、ＡＶアンプ２０に送信する。ＡＶアンプ２０は、放送受信装置から受信した音声データをＤ／Ａ変換、ボリューム調整処理および増幅処理し、接続されているスピーカーに出力し、音声を再生する。
【００１２】
図１は、ＡＶアンプ２０及び放送受信装置３０の構成を示すブロック図である。ＡＶアンプ２０及び放送受信装置３０は、例えばＨＤＭＩ規格に準拠しており、ＨＤＭＩケーブルを介して相互に接続されている。
【００１３】
［放送受信装置３０の構成］
放送受信装置３０は、制御部３１と、メモリ３２と、チューナ３３と、ＨＤＭＩ送信部３４と、操作部３５と、表示部３６と、ＨＤＭＩ端子３７とを備える。
【００１４】
チューナ３３は、複数のチャンネル番号の放送データ（音声データを含む）の中からユーザ操作によって選択された１つのチャンネル番号の放送データを受信して、ＨＤＭＩ送信部３４に供給する。
【００１５】
ＨＤＭＩ送信部３４は、チューナから供給された音声データからＨＤＭＩデータを生成し、ＨＤＭＩ端子を介してＨＤＭＩデータをＡＶアンプ２０に送信する。なお、放送データに映像データが含まれる場合には、ＨＤＭＩデータに映像データも含まれる。
【００１６】
操作部３５はユーザ操作を受け付けるものであり、リモコン送受信機や、放送受信装置３０の筐体に設けられた操作ボタン等である。操作部３５は、ユーザ操作によってチャンネル番号を変更（選択）する指示が入力されると、選択されたチャンネル番号を制御部３１に供給する。表示部３６は、選択されているチャンネル番号等を表示するものであり、ＬＣＤやＦＬ管等である。
【００１７】
制御部３１は、メモリ３２に格納されている放送受信装置３０の動作プログラムに基づいて後述する各処理を実行するものであり、マイコンやＣＰＵ等である。制御部３１は、ＨＤＭＩケーブルのＣＥＣラインを介してＡＶアンプ２０の制御部２１に接続されており、ＣＥＣラインを介してＡＶアンプ２０の制御部２１との間でコマンドや通知を送受信する。なお、ＨＤＭＩケーブルのＣＥＣラインの代わりに、その他の通信ラインを用いてコマンドや通知を送受信することもできる。
【００１８】
制御部３１は、チューナ３３が受信するチャンネル番号が変更されたとき、変更後のチャンネル番号（現在のチャンネル番号）を含むチャンネル変更通知を、ＣＥＣラインを介してＡＶアンプ２０の制御部２１に送信する。
【００１９】
［ＡＶアンプの構成］
ＡＶアンプ２０は、制御部２１と、メモリ２２と、ＨＤＭＩ受信部２３と、音声処理部２４と、操作部２５と、表示部２６と、ＨＤＭＩ端子２７とを有している。
【００２０】
ＨＤＭＩ受信部２３は、放送受信装置３０のＨＤＭＩ送信部３４から送信されたＨＤＭＩデータを、ＨＤＭＩ端子２７を介して受信して、受信したＨＤＭＩデータから元の音声データを生成し、音声処理部２４に供給する。
【００２１】
音声処理部２４は、ＨＤＭＩ受信部２３から供給された音声データに対して、Ｄ／Ａ変換、信号処理、ボリューム調整処理、増幅処理等の処理を実行し、外部に接続されたスピーカー６０に音声信号を供給する。音声処理部２４が音声データに対して調整するボリューム値（このボリューム値を出力ボリューム値という。）は、制御部２１の指示によって設定される。
【００２２】
メモリ２２には、図２に示すボリューム値テーブルが格納されている。ボリューム値テーブルは、各チャンネル番号に対して、ユーザ操作によって設定された出力ボリューム値を登録し、かつ、チャンネル番号が変更された際に変更後のチャンネル番号に対応するボリューム値が読み出されて、出力ボリューム値として設定されるためのテーブルである。ボリューム値テーブルは、放送受信装置３０が受信する放送データのチャンネル番号に対応付けて、ボリューム値と読み出し回数とが登録される。ボリューム値には、現在のチャンネル番号の音声データをＡＶアンプ２０が受信してスピーカーに出力している際に、ユーザ操作によって設定された出力ボリューム値が登録される。読み出し回数は、放送受信装置３０が受信する放送データのチャンネル番号が変更された際に、変更後のチャンネル番号のボリューム値が読み出されて、出力ボリューム値として設定された回数である。
【００２３】
操作部２５は、ユーザ操作を受け付けるものであり、リモコン送受信機や、ＡＶアンプ２０の筐体に設けられた操作ボタン等である。操作部２５は、ユーザ操作によってボリューム値が入力され、ボリューム値を制御部２１に供給する。
【００２４】
表示部２６は、ボリューム値（このボリューム値を表示ボリューム値という。）を表示するものであり、ＬＣＤやＦＬ管等である。
【００２５】
制御部２１は、メモリ２２に格納されているＡＶアンプの動作プログラムに基づいて、後述する各処理を実行するものであり、マイコンやＣＰＵ等である。制御部２１は、ＨＤＭＩケーブルのＣＥＣラインを介して放送受信装置３０の制御部３１に接続されており、ＣＥＣラインを介して放送受信装置３０の制御部３１とコマンドや通知を送受信する。なお、ＨＤＭＩケーブルのＣＥＣラインの代わりに、その他の通信ラインを用いてコマンドや通知を送受信することもできる。
【００２６】
制御部２１は、放送受信装置３０の制御部３１からチャンネル変更通知を受信したとき、ボリューム値テーブルから変更後のチャンネルに対応するボリューム値を読み出して、出力ボリューム値に設定する。また、制御部３１は、ユーザ操作によってボリューム値が変更された場合に出力ボリューム値を変更する。また、制御部３１は、出力ボリューム値と、ボリューム値テーブルに登録されているボリューム値とが異なる場合に、ボリューム値テーブルのボリューム値を出力ボリューム値に変更する。
【００２７】
［動作］
以下、本実施形態の動作を説明する。図３は、放送受信装置３０の制御部３１の処理を示すフローチャートであり、図４は、ＡＶアンプ２０の制御部２１の処理を示すフローチャートである。
【００２８】
図３に示すように、放送受信装置３０の制御部３１は、ユーザ操作によって放送データのチャンネル番号を変更する指示が入力されたか否かを判断する（Ｓ３１）。チャンネル番号を変更する指示が入力された場合（Ｓ３１でＹＥＳ）、制御部３１は、受信するチャンネル番号をユーザ操作によって選択されたチャンネル番号に変更するようにチューナ３３を制御する（Ｓ３２）。これに応じて、チューナ３３は受信する放送データのチャンネル番号を制御部３１から指定されたチャンネル番号に変更する。続いて、制御部３１は、変更後のチャンネル番号を含むチャンネル変更通知を、ＣＥＣラインを介してＡＶアンプ２０の制御部２１に送信する（Ｓ３３）。例えば、チャンネル番号１に変更（又は選択）された場合には、チャンネル番号１を含むチャンネル変更通知が送信される。
【００２９】
図４に示すように、ＡＶアンプ２０の制御部２１は、ＣＥＣラインを介して放送受信装置３０の制御部３１から、チャンネル変更通知を受信したか否かを判断する（Ｓ１）。チャンネル変更通知を受信しない場合には（Ｓ１でＮＯ）、制御部２１は、ユーザ操作によってボリューム値を変更する指示が入力されたか否かを判断する（Ｓ９）。ボリューム値を変更する指示が入力されない場合には（Ｓ９でＮＯ）、出力ボリューム値と、ボリューム値テーブルに登録されているボリューム値とが異なる状態が、所定時間継続したかを判断する（Ｓ１１）。出力ボリューム値と、ボリューム値テーブルに登録されているボリューム値とが異なる状態が、所定時間継続していない場合には、Ｓ１に戻る。すなわち、制御部２１は、Ｓ１、Ｓ９及びＳ１１の判断処理を繰り返して実行している。
【００３０】
Ｓ１でチャンネル変更通知を受信した場合（Ｓ１でＹＥＳ）、制御部２１は、チャンネル変更通知に含まれているチャンネル番号を読み出して、そのチャンネル番号をボリューム値テーブルの中から検索し（Ｓ２）、チャンネル番号がボリューム値テーブルに登録されているか否かを判断する（Ｓ３）。なお、制御部２１は、チャンネル変更通知に含まれているチャンネル番号を現在のチャンネル番号として表示部２６に表示させる。
【００３１】
［ボリューム値テーブルに現在のチャンネル番号が登録されていない場合］
はじめて選択されたチャンネル番号等の理由で、ボリューム値テーブルにチャンネル番号が登録されていない場合（Ｓ３でＮＯ）、制御部２１は、ボリューム値テーブルに空き領域（このチャンネル番号のボリューム値を登録可能な領域）が存在するか否かを判断する（Ｓ６）。ボリューム値テーブルに空き領域が存在する場合（Ｓ６でＹＥＳ）、Ｓ８に進む。
【００３２】
一方、ボリューム値テーブルに空き領域が存在しない場合（Ｓ６でＮＯ）、制御部２１は、ボリューム値テーブルから読み出し回数が最小のチャンネル番号の情報を削除することによって、空き領域を生成する（Ｓ７）。Ｓ８において、制御部２１は、現在のチャンネル番号のボリューム値を登録するためにボリューム値テーブルに現在のチャンネル番号の欄を作成し、現在の出力ボリューム値を作成した欄に登録する。例えば、チャンネル変更通知にチャンネル番号１が含まれており、ボリューム値テーブルにチャンネル番号１の欄が存在しない場合には、チャンネル番号１の欄が生成され、例えば現在の出力ボリューム値４０が登録される。
【００３３】
続いて、Ｓ９において、ユーザ操作によってボリューム値を変更する指示が入力されると（Ｓ９でＹＥＳ）、制御部２１は、出力ボリューム値及び表示ボリューム値を変更する。例えば、現在のチャンネル番号が１のときに、出力ボリューム値が４０、表示ボリューム値が４０の状態から、ユーザ操作によってボリューム値が１０増加されて５０に変更されると、出力ボリューム値が５０、表示ボリューム値が５０に変更される。
【００３４】
続いて、Ｓ１１において、現在のチャンネル番号に関して、出力ボリューム値と、ボリューム値テーブルに登録されているボリューム値とが異なる状態が所定時間以上継続した場合（Ｓ１１でＹＥＳ）、出力ボリューム値を、ボリューム値テーブルの現在のチャンネル番号のボリューム値として登録する（Ｓ１２）。例えば、チャンネル番号１の出力ボリューム値が５０であり、ボリューム値テーブルに現在のチャンネル番号に対応付けられて登録されているボリューム値が４０である状態が所定時間継続したとき、出力ボリューム値５０がボリューム値テーブルのチャンネル番号１のボリューム値として登録される。
【００３５】
［ボリューム値テーブルに現在のチャンネル番号が登録されている場合］
Ｓ３において、現在のチャンネル番号がボリューム値テーブルに登録されている場合（Ｓ３でＹＥＳ）、現在のチャンネル番号に対応するボリューム値をボリューム値テーブルから読み出して、出力ボリューム値に設定する（Ｓ４）。なお、このとき、本例においては、表示ボリューム値は変更しない。例えば、現在の出力ボリューム値が３０、表示ボリューム値が４０であり、現在のチャンネル番号１に対応するボリューム値テーブルのボリューム値が５０である場合、ボリューム値５０が読み出されて、出力ボリューム値が５０に変更され、表示ボリューム値は４０のままである。
【００３６】
続いて、制御部２は、ボリューム値テーブルにおいて現在のチャンネル番号に対応する読み出し回数を１増加させる（Ｓ５）。
【００３７】
続いて、Ｓ９において、ユーザ操作によってボリューム値を変更する指示が入力されると（Ｓ９でＹＥＳ）、制御部２１は、出力ボリューム値及び表示ボリューム値を変更する。例えば、現在のチャンネル番号が１のときに、出力ボリューム値５０、表示ボリューム値４０の状態から、ユーザ操作によってボリューム値が５増加され５５に変更されると、出力ボリューム値５５、表示ボリューム値４５に変更される。
【００３８】
続いて、Ｓ１１において、現在のチャンネル番号に関して、出力ボリューム値と、ボリューム値テーブルに登録されているボリューム値とが異なる状態が所定時間以上継続した場合（Ｓ１１でＹＥＳ）、出力ボリューム値を、ボリューム値テーブルの現在のチャンネル番号のボリューム値として登録する（Ｓ１２）。例えば、チャンネル番号１の出力ボリューム値が５５であり、ボリューム値テーブルに現在のチャンネル番号に対応付けられて登録されているボリューム値が５０である状態が所定時間継続したとき、出力ボリューム値５５がボリューム値テーブルのチャンネル番号１のボリューム値として登録される。
【００３９】
次に、図４のフローチャートに基づく処理の実施例を説明する。
（１）チャンネル変更通知に含まれるチャンネル番号が１であるとき、現在のチャンネル番号としてチャンネル番号１が表示部２６に表示される。ボリューム値テーブルにチャンネル番号１の欄が新たに生成される。現在の出力ボリューム値が４０、表示ボリューム値が４０である場合、出力ボリューム値４０がボリューム値テーブルのチャンネル番号１のボリューム値として登録される。ユーザ操作によってボリューム値が１０増加され５０に変更されると、出力ボリューム値が５０、表示ボリューム値が５０に変更される。この状態が所定時間以上継続すると、出力ボリューム値５０がボリューム値テーブルのチャンネル番号１のボリューム値として登録される。
【００４０】
（２）次のチャンネル番号通知に含まれるチャンネル番号が２であるとき、現在のチャンネル番号としてチャンネル番号２が表示部２６に表示される。ボリューム値テーブルにチャンネル番号２の欄が新たに生成される。現在の出力ボリューム値が５０、表示ボリューム値が５０であるので、出力ボリューム値５０がボリューム値テーブルのチャンネル番号２のボリューム値として登録される。ユーザ操作によってボリューム値が２０減少され３０に変更されると、出力ボリューム値が３０、表示ボリューム値が３０に変更される。この状態が所定時間以上継続すると、出力ボリューム値３０がボリューム値テーブルのチャンネル番号２のボリューム値として登録される。
【００４１】
（３）次のチャンネル番号通知に含まれるチャンネル番号が３であるとき、現在のチャンネル番号としてチャンネル番号３が表示部２６に表示される。ボリューム値テーブルにチャンネル番号３の欄が新たに生成される。現在の出力ボリューム値が３０、表示ボリューム値が３０であるので、出力ボリューム値３０がボリューム値テーブルのチャンネル番号３のボリューム値として登録される。ユーザ操作によってボリューム値が１０増加され４０に変更されると、出力ボリューム値が４０、表示ボリューム値が４０に変更される。この状態が所定時間以上継続すると、出力ボリューム値４０がボリューム値テーブルのチャンネル番号３のボリューム値として登録される。
【００４２】
（４）次のチャンネル変更通知に含まれるチャンネル番号が１であるとき、現在のチャンネル番号としてチャンネル番号１が表示部２６に表示される。ボリューム値テーブルに（１）で生成したチャンネル番号１の欄が既に存在するので、ボリューム値５０を読み出して、出力ボリューム値が５０に変更される。このとき、表示ボリューム値は４０のままである。ユーザ操作によってボリューム値が５増加され５５に変更されると、出力ボリューム値が５５、表示ボリューム値が４５に変更される。この状態が所定時間以上継続すると、出力ボリューム値５５がボリューム値テーブルのチャンネル番号１のボリューム値として登録される。
【００４３】
（５）次のチャンネル変更通知に含まれるチャンネル番号が２であるとき、現在のチャンネル番号としてチャンネル番号２が表示部２６に表示される。ボリューム値テーブルに（２）で生成したチャンネル番号２の欄が既に存在するので、ボリューム値３０を読み出して、出力ボリューム値が３０に変更される。このとき、表示ボリューム値は４５のままである。
【００４４】
図５は、別の好ましい実施形態によるＡＶアンプ２０の制御部２１の処理を示すフローチャートである。図５の処理は図４の処理と比較してＳ４がＳ２４に変更された点のみで異なる。Ｓ２４では、制御部２１は、現在のチャンネル番号に対応するボリューム値をボリューム値テーブルから読み出して、出力ボリューム値及び表示ボリューム値の両方を読み出したボリューム値に変更する。
【００４５】
図５のフローチャートに基づく処理の実施例を説明する。
（１）チャンネル変更通知に含まれるチャンネル番号が１であるとき、現在のチャンネル番号としてチャンネル番号１が表示部２６に表示される。ボリューム値テーブルにチャンネル番号１の欄が新たに生成される。現在の出力ボリューム値が４０、表示ボリューム値が４０である場合、出力ボリューム値４０がボリューム値テーブルのチャンネル番号１のボリューム値として登録される。ユーザ操作によってボリューム値が１０増加され５０に変更されると、出力ボリューム値が５０、表示ボリューム値が５０に変更される。この状態が所定時間以上継続すると、出力ボリューム値５０がボリューム値テーブルのチャンネル番号１のボリューム値として登録される。
【００４６】
（２）次のチャンネル番号通知に含まれるチャンネル番号が２であるとき、現在のチャンネル番号としてチャンネル番号２が表示部２６に表示される。ボリューム値テーブルにチャンネル番号２の欄が新たに生成される。現在の出力ボリューム値が５０、表示ボリューム値が５０であるので、出力ボリューム値５０がボリューム値テーブルのチャンネル番号２のボリューム値として登録される。ユーザ操作によってボリューム値が２０減少され３０に変更されると、出力ボリューム値が３０、表示ボリューム値が３０に変更される。この状態が所定時間以上継続すると、出力ボリューム値３０がボリューム値テーブルのチャンネル番号２のボリューム値として登録される。
【００４７】
（３）次のチャンネル番号通知に含まれるチャンネル番号が３であるとき、現在のチャンネル番号としてチャンネル番号３が表示部２６に表示される。ボリューム値テーブルにチャンネル番号３の欄が新たに生成される。現在の出力ボリューム値が３０、表示ボリューム値が３０であるので、出力ボリューム値３０がボリューム値テーブルのチャンネル番号３のボリューム値として登録される。ユーザ操作によってボリューム値が１０増加され４０に変更されると、出力ボリューム値が４０、表示ボリューム値が４０に変更される。この状態が所定時間以上継続すると、出力ボリューム値４０がボリューム値テーブルのチャンネル番号３のボリューム値として登録される。
【００４８】
（４）次のチャンネル変更通知に含まれるチャンネル番号が１であるとき、現在のチャンネル番号としてチャンネル番号１が表示部２６に表示される。ボリューム値テーブルに（１）で生成したチャンネル番号１の欄が既に存在するので、ボリューム値５０を読み出して、出力ボリューム値及び表示ボリューム値が５０に変更される。ユーザ操作によってボリューム値が５増加され５５に変更されると、出力ボリューム値及び表示ボリューム値が共に５５に変更される。この状態が所定時間以上継続すると、出力ボリューム値５５がボリューム値テーブルのチャンネル番号１のボリューム値として登録される。
【００４９】
（５）次のチャンネル変更通知に含まれるチャンネル番号が２であるとき、現在のチャンネル番号としてチャンネル番号２が表示部２６に表示される。ボリューム値テーブルに（２）で生成したチャンネル番号２の欄が既に存在するので、ボリューム値３０を読み出して、出力ボリューム値及び表示ボリューム値が３０に変更される。
【００５０】
以上の処理によって、各チャンネル番号に対応付けてボリューム値を記憶させておき、チャンネル番号が変更されたときに、チャンネル変更通知に含まれるチャンネル番号に対応するボリューム値を読み出して出力ボリューム値に設定することによって、チャンネル変更の度にユーザ操作によってボリューム値を変更する必要がない。
【００５１】
以上、本発明の好ましい実施形態を説明したが、本発明はこれらの実施形態には限定されない。ＡＶアンプ、放送受信装置の上記動作をコンピュータに実行させるためのプログラムおよびこれを記録した記録媒体という形態で提供されてもよい。
【産業上の利用可能性】
【００５２】
本発明は、ＡＶアンプおよび放送受信装置等に好適に採用され得る。
【図面の簡単な説明】
【００５３】
【図１】本発明の好ましい実施形態によるＡＶアンプ２０および放送受信装置３０の構成を示すブロック図である。
【図２】ボリューム値テーブルを示す図である。
【図３】放送受信装置３０の制御部３１の処理を示すフローチャートである。
【図４】ＡＶアンプ２０の制御部３１の処理を示すフローチャートである。
【図５】ＡＶアンプ２０の制御部３１の処理を示すフローチャートである。
【符号の説明】
【００５４】
２０            ＡＶアンプ
２１            制御部
２２            メモリ
２３            ＨＤＭＩ受信部
２４            音声処理部
２５            操作部
２６            表示部
２７            ＨＤＭＩ端子
３０            放送受信装置
３１            制御部
３２            メモリ
３３            チューナ
３４            ＨＤＭＩ送信部
３５            操作部
３６            表示部
３７            ＨＤＭＩ端子
【図１】
2010141846.tif 000003
【図２】
2010141846.tif 000004
【図３】
2010141846.tif 000005
【図４】
2010141846.tif 000006
【図５】
2010141846.tif 000007